(57)【要約】【課題】個々の需要家の状況に応じた電力抑制目標を設定し、電力系統全体のピークカットを実現し得る電力抑制依頼装置及び電力抑制依頼方法を提供する。【解決手段】電力需要家に対して将来の時間帯（電力抑制目標値算出対象時間帯）を指定して計算された電力抑制目標値を送信するものであり、前ｎ（ｎは自然数）日から前ｍ（ｍは自然数，ｎ≧ｍ）日までの電力抑制目標値算出対象時間帯における消費電力から一定のルールにより抽出した一以上の値の最小値／平均値／最大値を電力抑制目標値とする。【選択図】図１
2015096023.tif 000002
【特許請求の範囲】
【請求項１】
電力需要家に対して将来の時間帯（電力抑制目標値算出対象時間帯）を指定して計算された電力抑制目標値を送信する手段を備える電力抑制依頼装置であって、
前記手段は、前ｎ（ｎは自然数）日から前ｍ（ｍは自然数，ｎ≧ｍ）日までの前記電力抑制目標値算出対象時間帯における消費電力から一定のルールにより抽出した一以上の値の最小値／平均値／最大値から導かれる数値（±α）を前記電力抑制目標値とすることを特徴とする電力抑制依頼装置。
【請求項２】
前記一定のルールは、前ｎ日から前ｍ日までの前記電力抑制目標値算出対象時間帯における消費電力から最も小さい／最も大きいものからｌ（ｌは自然数）個の値を抽出することを含むことを特徴とする請求項１に記載の電力抑制依頼装置。
【請求項３】
前記一定のルールは、前記電力抑制目標値算出対象時間帯で、しかも前記電力抑制目標値算出対象時間帯と同じ属性日（平日／休日若しくは曜日）の消費電力値のみを抽出することを含むことを特徴とする請求項１〜２いずれか１項に記載の電力抑制依頼装置。
【請求項４】
前記手段は、少なくとも当日の前記電力抑制目標値算出対象時間帯までに、前記電力需要家に対して前記電力抑制目標値を送信することを特徴とする請求項１〜３いずれか１項に記載の電力抑制依頼装置。
【請求項５】
電力需要家に対して将来の時間帯（電力抑制目標値算出対象時間帯）を指定して計算された電力抑制目標値を送信する工程を含む電力抑制依頼方法であって、
前記工程は、前ｎ（ｎは自然数）日から前ｍ（ｍは自然数，ｎ≧ｍ）日までの前記電力抑制目標値算出対象時間帯における消費電力から一定のルールにより抽出した一以上の値の最小値／平均値／最大値から導かれる数値（±α）を前記電力抑制目標値とすることを特徴とする電力抑制依頼方法。
【請求項６】
前記一定のルールは、前ｎ日から前ｍ日までの前記電力抑制目標値算出対象時間帯における消費電力から最も小さい／最も大きいものからｌ（ｌは自然数）個の値を抽出することを含むことを特徴とする請求項５に記載の電力抑制依頼方法。
【請求項７】
前記一定のルールは、前記電力抑制目標値算出対象時間帯で、しかも前記電力抑制目標値算出対象時間帯と同じ属性日（平日／休日若しくは曜日）の消費電力値のみを抽出することを含むことを特徴とする請求項５〜６いずれか１項に記載の電力抑制依頼方法。
【請求項８】
前記工程は、少なくとも当日の前記電力抑制目標値算出対象時間帯までに、前記電力需要家に対して前記電力抑制目標値を送信することを特徴とする請求項５〜７いずれか１項に記載の電力抑制依頼方法。
【発明の詳細な説明】
【技術分野】
【０００１】
本発明は、電力抑制依頼装置及び電力抑制依頼方法に関する。
【背景技術】
【０００２】
温室効果ガス（CO2）削減や電力の安定供給を目的として、エネルギー使用の効率化および電力需要の抑制を図ることにより無理のない節電を進め、電力消費量の削減を図ることが社会的要請として求められている。
【０００３】
このような背景のもと、デマンドレスポンス（ＤＲ）を実現するシステム（プラットフォーム）を開発し、電力会社及びアグリゲータが簡易に、且つ、精度よく電力消費状況管理・制御ができるようにすることが求められている。
ＤＲでは、特許文献１、２に記載の通り、時間帯ごとの異なる電気料金体系設定、電力需要が高まる時に電力消費の削減要請に応じた需要家へのインセンティブ支払いなどによる需給調整が提案されている。
【先行技術文献】
【特許文献】
【０００４】
【特許文献１】特開２０１２−２２６５３８号公報
【特許文献２】特開２００６−１７４６５４号公報
【発明の概要】
【発明が解決しようとする課題】
【０００５】
電力需給逼迫時の電力系統のピークカットを目的として電力会社が需要家に電力抑制を依頼する際には、個々の需要家ごとに電力抑制の目標値を設定する必要がある。
しかしながら、例えば同様な契約形態をとる需要家全てについて同じ目標値を設定する方法では、それらの需要家間の通常時の電力消費量は異なるため、電力消費量が大きい需要家にとっては達成困難な目標値であったり、電力消費量が少ない需要家にとっては通常時の消費電力であっても既に達成している目標値であったりするため、電力系統全体のピークカットを実現することができないという問題がある。
【０００６】
本発明は上記の問題に鑑みてなされたものであり、個々の需要家の状況に応じた電力抑制目標を設定し、電力系統全体のピークカットを実現し得る電力抑制依頼装置及び電力抑制依頼方法を提供することにある。
【課題を解決するための手段】
【０００７】
上記目的を達成するために本発明に係る電力抑制依頼装置は、電力需要家に対して将来の時間帯（電力抑制目標値算出対象時間帯）を指定して計算された電力抑制目標値を送信する手段を備える電力抑制依頼装置であって、上記手段は、前ｎ（ｎは自然数）日から前ｍ（ｍは自然数、ｎ≧ｍ）日までの指定時間帯における消費電力から一定のルールにより抽出した一以上の値の最小値／平均値／最大値から導かれる数値（±α）を電力抑制目標値とするようにしたものである。
【０００８】
また、上記目的を達成するために本発明に係る電力抑制依頼方法は、電力需要家に対して前記電力抑制目標値算出対象時間帯を指定して計算された前記電力抑制目標値を送信する工程を含む電力抑制依頼方法であって、上記工程は、前ｎ（ｎは自然数）日から前ｍ（ｍは自然数，ｎ≧ｍ）日までの指定時間帯における消費電力から一定のルールにより抽出した一以上の値の最小値／平均値／最大値から導かれる数値（±α）を電力抑制目標値とするようにしたものである。
【発明の効果】
【０００９】
本発明に係る電力抑制依頼装置及び電力抑制依頼方法によれば、個々の需要家の状況に応じた電力抑制目標を達成させることにより電力系統全体のピークカットを実現することができる。
【００１０】
また、対象時間帯の電力抑制目標値を求めるロジックにおいては、遡る期間の起点・終点、計算に利用するサンプル数、サンプル抽出方法、計算手法を適宜変更することにより、電力会社は需給状況に応じて柔軟に電力抑制目標値設定を行うことができる。
【図面の簡単な説明】
【００１１】
【図１】本発明のシステム構成を説明する図である。
【図２】実施形態１におけるオペレータが入力するパラメータ設定内容を説明する図である。
【図３】実施形態１におけるパラメータ入力例である。
【図４】実施形態１における電力抑制目標値の計算を説明する図である。
【図５】実施形態２におけるオペレータが入力するパラメータ設定内容を説明する図である。
【図６】実施形態２におけるパラメータ入力例である。
【図７】実施形態２における電力抑制目標値の計算を説明する図である。
【図８】実施形態３におけるオペレータが入力するパラメータ設定内容を説明する図である。
【図９】実施形態３におけるパラメータ入力例である。
【図１０】実施形態３における電力抑制目標値の計算を説明する図である。
【図１１】実施形態４におけるオペレータが入力するパラメータ設定内容を説明する図である。
【図１２】実施形態４におけるパラメータ入力例である。
【図１３】実施形態４における電力抑制目標値の計算を説明する図である。
【発明を実施するための形態】
【００１２】
本発明に係る電力抑制依頼装置は、電力需要家に対して将来の時間帯（電力抑制目標値算出対象時間帯）を指定して計算された電力抑制目標値を送信する手段を有するものであり、前ｎ（ｎは自然数）日から前ｍ（ｍは自然数，ｎ≧ｍ）日までの電力抑制目標値算出対象時間帯における消費電力から一定のルールにより抽出した一以上の値の最小値／平均値／最大値を前記電力抑制目標値とする。
【００１３】
以下に、本発明の実施の形態について説明する。
図１は、本発明のシステム構成を説明する図である。電力事業者１は、送電設備５により送配電網３を介して需要家（２1〜２N）２へ電力供給を行う。各需要家２では分電盤７により電力が受電される。
【００１４】
電力事業者１は、サーバ６により通信ネットワーク４を介して需要家２のHEMS８と通信を行う。この通信により、電力事業者１（サーバ６）は需要家２における消費電力実績値を取得し、電力抑制目標値を計算し、需要家２へ電力抑制目標値を通知する。
HEMS８は、Home Energy Management Systemであり、（１）需要家２の消費電力実績値を分電盤７から取得し、通信ネットワーク４を介してサーバ６へ通知する機能、（２）電力事業者１（サーバ６）から通知された電力抑制目標値を保存し、需要家２へ提示する機能を有する。
【００１５】
以下、電力事業者１（サーバ６）による電力抑制目標値の算出について説明する。
＜実施形態１＞
図２は、実施形態１として、電力事業者１がサーバ６に電力抑制目標値を算出させるにあたっての、オペレータが入力するパラメータ設定内容を説明する図である。「電力抑制目標値算出対象時間帯」には、電力抑制目標値を設定する時間帯を入力する。「サンプル抽出期間」には、算出の基礎とする過去の消費電力実績値データの起点（前ｎ（ｎは自然数）日）と終点（前ｍ（ｍは自然数，ｎ≧ｍ）日）を入力する。「算出方法」では、電力抑制目標値として、抽出したサンプルの最小値を取るか、平均値を取るか、最大値を取るかを選択する。
【００１６】
この例では、サーバ６による、2013年7月24日（水）の１４時台（14:00〜14:59）の時間帯における電力抑制目標値の算出方法を説明する。サンプル抽出期間は2013年7月10日〜23日の14日間（ｎ＝１４、ｍ＝１）とし、この期間について電力抑制目標値算出対象時間帯と同じ時間帯の消費電力実績値の平均値を取り電力抑制目標値とする。この場合のパラメータ入力値は図３の通りとなる。
【００１７】
図４の表は、サーバ６がある需要家２の消費電力実績値に基づいて、図３の設定に従って電力抑制目標値を計算したものである。サンプル抽出期間（7/10〜7/23）について、電力抑制目標値算出対象時間帯と同じ１４時台の消費電力実績値（１４個の値）の平均値7.20[kW]を、2013年7月24日（水）の１４時台（14:00〜14:59）の電力抑制目標値とする。
【００１８】
ここで、電力抑制目標値は、事前に計算され需要家２に通知されるものであるから、電力抑制目標値算出対象時間帯の前に、かつ抽出するサンプル（消費電力実績値）が全て取得可能になった後に算出を行う。この例では、電力抑制目標値算出対象時間帯（2013年7月24日（水）の１４時台）が属する日の前日の18:00に算出を行っている。但し、当日の対象指定時刻までに、需要家に対して事前に通知する事が可能な範囲の時刻に行ってもよい。
【００１９】
＜実施形態２＞
図５は、実施形態２として、電力事業者１がサーバ６に電力抑制目標値を算出させるにあたっての、オペレータが入力するパラメータ設定内容を説明する図である。実施形態１と同様の「電力抑制目標値算出対象時間帯」、「サンプル抽出期間（前ｎ（ｎは自然数）日から前ｍ（ｍは自然数，ｎ≧ｍ）日まで）」、「算出方法」のほか、抽出条件として同じ属性日（平日／休日）を選ぶことができる。
【００２０】
この例では、サーバ６による、2013年7月24日（水）の１４時台（14:00〜14:59）の時間帯における電力抑制目標値の算出を説明する。サンプル抽出期間は2013年7月10日〜23日の14日間（ｎ＝１４、ｍ＝１）とし、この期間について電力抑制目標値算出対象時間帯と同じ時間帯の消費電力実績値のうち、平日のものの平均値を取り電力抑制目標値とする。この場合のパラメータ入力値は図６の通りとなる。
【００２１】
図７の表は、サーバ６がある需要家２の消費電力実績値に基づいて、図６の設定に従って電力抑制目標値を計算したものである。サンプル抽出期間（7/10〜7/23）について、電力抑制目標値算出対象時間帯と同じ１４時台の消費電力実績値であって平日のもの（９個の値）の平均値9.20[kW]を、2013年7月24日（水）の１４時台（14:00〜14:59）の電力抑制目標値とする。
【００２２】
ここで、電力抑制目標値は、事前に計算され需要家２に通知されるものであるから、電力抑制目標値算出対象時間帯の前に、かつ抽出するサンプル（消費電力実績値）が全て取得可能になった後に算出を行う。この例では、電力抑制目標値算出対象時間帯（2013年7月24日（水）の１４時台）が属する日の前日の18:00に算出を行っている。但し、当日の対象指定時刻までに、需要家に対して事前に通知する事が可能な範囲の時刻に行ってもよい。
【００２３】
この実施形態２では、サンプル抽出を平日／休日の別により行っているが、これに限らず、他の属性（曜日など）によって抽出することも可能である。この場合、2013年7月24日が「水曜日」であれば、水曜日の１４時台の消費電力実績値を抽出する。
【００２４】
実施形態１、２においては、抽出したサンプルの平均値を電力抑制目標値としているが、これに限らず、平均値±αの値を電力抑制目標値とすることも可能である。すなわち、電力事業者１の電力需給の逼迫レベルから±αの値を導くことにより、より弾力的な運用を行うことができる。また、抽出したサンプルの最小値や最大値を採用する場合でも、最小値／最大値の±αを電力抑制目標値とすることも可能である。
【００２５】
＜実施形態３＞
図８は、実施形態３として、電力事業者１がサーバ６に電力抑制目標値を算出させるにあたっての、オペレータが入力するパラメータ設定内容を説明する図である。実施形態１と同様に「電力抑制目標値算出対象時間帯」、「サンプル抽出期間（前ｎ（ｎは自然数）日から前ｍ（ｍは自然数，ｎ≧ｍ）日まで）」、「算出方法」を設定することができる。
【００２６】
ただし本実施形態３では、サンプル抽出期間にあり時間帯が同じである全ての消費電力実績値を対象とせず、「サンプル抽出日数」で指定した日数分の消費電力実績値を抽出する。ここでの抽出方法は、サンプル抽出期間にあり時間帯が同じである全ての消費電力実績値のうち最大又は最小の値から順に「サンプル抽出日数」で指定した日数分を抽出するものである。
【００２７】
この実施形態３では、サーバ６による、2013年7月24日（水）の１４〜１５時台（14:00〜15:59）の時間帯における電力抑制目標値の算出を説明する。サンプル抽出期間は2013年7月10日〜23日の14日間（ｎ＝１４、ｍ＝１）とし、この期間について電力抑制目標値算出対象時間帯と同じ時間帯の消費電力実績値を日ごとに合計し、その最大３日間の平均値を取り電力抑制目標値とする。この場合のパラメータ入力値は図９の通りとなる。
【００２８】
図１０の表は、サーバ６がある需要家２の消費電力実績値に基づいて、図９の設定に従って電力抑制目標値を計算したものである。サンプル抽出期間（7/10〜7/23）について、電力抑制目標値算出対象時間帯と同じ１４〜１５時台の消費電力実績値（合計）を求め、これらの最大３つの値（23.03, 25.00, 25.33kW）の平均値24.46[kW]を、2013年7月24日（水）の１４〜１５時台（14:00〜15:59）の電力抑制目標値とする。
【００２９】
ここで、電力抑制目標値は、事前に計算され需要家２に通知されるものであるから、電力抑制目標値算出対象時間帯の前に、かつ抽出するサンプル（消費電力実績値）が全て取得可能になった後に算出を行う。この例では、電力抑制目標値算出対象時間帯（2013年7月24日の１４〜１５時台）が属する日の前日の18:00に算出を行っている。但し、当日の対象指定時刻までの間で、需要家２に対して事前に通知する事が可能な範囲の時刻に行ってもよい。
【００３０】
この実施形態３にあっても、実施形態２のように日の属性（平日／休日）を抽出条件とすることも可能である。
【００３１】
＜実施形態４＞
図１１は、実施形態４として、電力事業者１がサーバ６に電力抑制目標値を算出させるにあたっての、オペレータが入力するパラメータ設定内容を説明する図である。設定内容は実施形態３と同じである。
【００３２】
この実施形態４では、サーバ６による、2013年7月24日（水）の１８〜２３時台（18:00〜23:59）の時間帯における電力抑制目標値の算出方法を説明する。サンプル抽出期間は2013年7月10日〜22日の13日間（ｎ＝１４、ｍ＝２）とし、この期間について電力抑制目標値算出対象時間帯と同じ時間帯の消費電力実績値を日ごとに合計し、その最大３日間の平均値を取り電力抑制目標値とする。この場合のパラメータ入力値は図１２の通りとなる。
【００３３】
図１３の表は、サーバ６がある需要家２の消費電力実績値に基づいて、図１２の設定に従って電力抑制目標値を計算したものである。なお、図１３の表において、上記図４における電力抑制目標値算出対象時間帯の消費電力実績値と同一の値とする。サンプル抽出期間（7/10〜7/22）について、電力抑制目標値算出対象時間帯と同じ１８〜２３時台の消費電力実績値（合計）を求め、これらの最大３つの値（31.20, 28.50, 26.83kW）の平均値28.84[kW]を、2013年7月24日（水）の１８〜２３時台（18:00〜23:59）の電力抑制目標値とする。
【００３４】
また、実施形態３と同様に、電力抑制目標値算出対象時間帯（2013年7月24日（水）の１８〜２３時台）が属する日の前日の18:00に算出を行っている。但し、当日の対象指定時刻までに、需要家に対して事前に通知する事が可能な範囲の時刻に行ってもよい。
【００３５】
この実施形態４でも、実施形態２のように日の属性（平日／休日）を抽出条件とすることも可能である。
実施形態３、４においても、最大３つの値の平均値を電力抑制目標値とするに限らず、平均値±αの値を電力抑制目標値とすることも可能であることは例１、２と同様である。また、抽出したサンプルの最小値や最大値を採用する場合でも、最小値／最大値の±αを電力抑制目標値とすることも可能である。
【００３６】
以上のように、電力事業者１のサーバ６が、オペレータが入力した各種パラメータに基づいて、需要家２から取得した消費電力値から電力抑制目標値を算出することにより、個々需要家の状況に応じた電力抑制目標値を設定することができる。
【００３７】
以下に、本発明によって生じる効果について説明する。
本発明に係る電力抑制依頼装置、電力抑制依頼方法によれば、個々需要家の状況に応じた電力抑制目標を達成させることにより電力系統全体のピークカットを実現することができる。
【００３８】
また、電力抑制目標値算出対象時間帯の電力抑制目標値を求めるロジックにおいては、遡る期間の起点・終点、計算に利用するサンプル数、サンプル抽出方法、計算手法を適宜変更することにより、電力会社は需給状況に応じて柔軟に電力抑制目標値設定を行うことができる。
【００３９】
また、上記各実施形態１〜４では、電力事業者１のサーバ６が、オペレータが入力した各種パラメータに基づいて、需要家２から取得した消費電力値から電力抑制目標値を算出する例について説明したが、電力事業者とは別の事業者のサーバで、需要家２から取得した消費電力値から電力抑制目標値を算出し、電力事業者１のサーバ６は、別の事業者のサーバで算出された電力抑制目標値を需要家２に送信するものであってもよい。
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４０】
１…電力事業者
２１〜２N…需要家
３…送配電網
４…通信ネットワーク
５…送電設備
６…サーバ
７…分電盤
８…ＨＥＭＳ
９−１〜９−ｉ…宅内機器
【図１】
2015096023.tif 000003
【図２】
2015096023.tif 000004
【図３】
2015096023.tif 000005
【図４】
2015096023.tif 000006
【図５】
2015096023.tif 000007
【図６】
2015096023.tif 000008
【図７】
2015096023.tif 000009
【図８】
2015096023.tif 000010
【図９】
2015096023.tif 000011
【図１０】
2015096023.tif 000012
【図１１】
2015096023.tif 000013
【図１２】
2015096023.tif 000014
【図１３】
2015096023.tif 000015
【手続補正書】
【提出日】平成27年1月28日(2015.1.28)
【手続補正１】
【補正対象書類名】特許請求の範囲
【補正対象項目名】全文
【補正方法】変更
【補正の内容】
【特許請求の範囲】
【請求項１】
電力需要家に対して将来の時間帯である電力抑制目標値算出対象時間帯を指定して計算された電力抑制目標値を送信する手段を備える電力抑制依頼装置であって、
前記手段は、前ｎ（ｎは自然数）日から前ｍ（ｍは自然数，ｎ≧ｍ）日までの前記電力抑制目標値算出対象時間帯における消費電力から一定のルールにより抽出した一以上の値の最小値／平均値／最大値のいずれかの値に対して±αの数値を加算した値を前記電力抑制目標値とすることを特徴とする電力抑制依頼装置。
【請求項２】
前記一定のルールは、前ｎ日から前ｍ日までの前記電力抑制目標値算出対象時間帯における消費電力から最も小さい／最も大きいものからｌ（ｌは自然数）個の値を抽出することを含むことを特徴とする請求項１に記載の電力抑制依頼装置。
【請求項３】
前記一定のルールは、前記電力抑制目標値算出対象時間帯で、しかも前記電力抑制目標値算出対象時間帯と同じ平日または休日、もしくは同じ曜日となる属性日の消費電力値のみを抽出することを含むことを特徴とする請求項１〜２いずれか１項に記載の電力抑制依頼装置。
【請求項４】
前記手段は、少なくとも当日の前記電力抑制目標値算出対象時間帯までに、前記電力需要家に対して前記電力抑制目標値を送信することを特徴とする請求項１〜３いずれか１項に記載の電力抑制依頼装置。
【請求項５】
電力需要家に対して将来の時間帯である電力抑制目標値算出対象時間帯を指定して計算された電力抑制目標値を送信する工程を含む電力抑制依頼方法であって、
前記工程は、前ｎ（ｎは自然数）日から前ｍ（ｍは自然数，ｎ≧ｍ）日までの前記電力抑制目標値算出対象時間帯における消費電力から一定のルールにより抽出した一以上の値の最小値／平均値／最大値のいずれかの値に対して±αの数値を加算した値を前記電力抑制目標値とすることを特徴とする電力抑制依頼方法。
【請求項６】
前記一定のルールは、前ｎ日から前ｍ日までの前記電力抑制目標値算出対象時間帯における消費電力から最も小さい／最も大きいものからｌ（ｌは自然数）個の値を抽出することを含むことを特徴とする請求項５に記載の電力抑制依頼方法。
【請求項７】
前記一定のルールは、前記電力抑制目標値算出対象時間帯で、しかも前記電力抑制目標値算出対象時間帯と同じ平日または休日、もしくは同じ曜日となる属性日の消費電力値のみを抽出することを含むことを特徴とする請求項５〜６いずれか１項に記載の電力抑制依頼方法。
【請求項８】
前記工程は、少なくとも当日の前記電力抑制目標値算出対象時間帯までに、前記電力需要家に対して前記電力抑制目標値を送信することを特徴とする請求項５〜７いずれか１項に記載の電力抑制依頼方法。